(57)【要約】【課題】  減圧吸収機能を発揮するパネル壁を利用して、内容物の注出を行うようにすることにより、減圧吸収機能付き容器のスクイズ容器への利用範囲拡大を得ることを目的とする。【解決手段】  胴部５に、正多角筒状の角筒部６を設け、角筒部６を、平坦な柱壁９で角部を角取りし、辺部を減圧吸収用のパネル壁７として構成し、各パネル壁７を、外方に少し膨出した湾曲壁構造に構成することにより、パネル壁７を反転陥没変形可能として、スクイズ変形による内容物の注出を可能とする。【選択図】  図１
2010105718.tif 000002
【特許請求の範囲】
【請求項１】
下端を底部で塞ぎ、上端に肩部と口筒部を連設した胴部に、正多角筒状の角筒部を設け、該角筒部を、平坦な柱壁で角部を角取りし、辺部を減圧吸収用のパネル壁として構成し、該各パネル壁を、縦断面形状が直線状で、横断面形状が外方に少し膨出して湾曲した湾曲壁構造に構成した合成樹脂製ブロー成形容器。
【請求項２】
角筒部の上下両端に、該角筒部の仮想される外接円と等しいかわずかに大きい外径を有する、短円筒形状の端筒部を連設した請求項１に記載の合成樹脂製ブロー成形容器。
【請求項３】
角筒部の下位に、底部に連設するスカート筒部を設け、該スカート筒部を下方に拡径した筒状に構成した請求項１または２に記載の合成樹脂製ブロー成形容器。
【請求項４】
口筒部にノズルキャップを密に組付け、該ノズルキャップに、開閉キャップで開閉されるノズル筒を立設した請求項１〜３のいずれか１項に記載の合成樹脂製ブロー成形容器。
【発明の詳細な説明】
【技術分野】
【０００１】
本発明は、胴部に複数の減圧吸収用のパネル壁を設けた、ボトル状の合成樹脂製ブロー成形容器に関するものである。
【背景技術】
【０００２】
例えば、ＰＥＴ製の２軸延伸ブロー成形された容器内に、高温の内容物を充填して密封した状態で冷却すると、容器内に減圧が発生して、容器を不正変形させるので、この容器内に発生した減圧を、一定した形態で変形して吸収する減圧吸収用のパネル壁を、容器の胴部部分に設けることが行われている。
【０００３】
この減圧吸収機能を発揮するパネル壁として、容器の胴部に正多角筒状部分を設け、この正多角筒状部分の各平坦壁部分を、パネル壁として機能させるようにした技術が知られている（例えば、特許文献１参照）。
【特許文献１】特開２００２−３３２０２２号公報
【０００４】
この従来技術は、正多角形筒状体の平坦壁全体を、パネル壁として機能させることができるので、容器の胴部の大きさの割には、大きな面積のパネル壁を得ることができ、これにより必要とする減圧吸収能力を、得ることができると云うものになっている。
【発明の開示】
【発明が解決しようとする課題】
【０００５】
しかしながら、上記した従来技術にあっては、パネル壁の減圧吸収のための陥没変形が、平坦状態から湾曲状態を大きくする変形形態であるので、陥没変形が進行するに従って、変形に要する力が加速度的に増大し、このため減圧程度が大きくなると、円滑な減圧吸収動作が得られ難くなる、と云う問題があった。
【０００６】
このことは、例えば内容物を注出すべく、常圧状態でパネル壁を押圧した際、当初はパネル壁を簡単に陥没させることができるものの、すぐに陥没変形させ難くなることを意味しており、このためパネル壁をスクイズ変形させて内容物を注出させるのが困難である、と云う問題があった。
【０００７】
そこで、本発明は、上記した従来技術における問題点を解消すべく創案されたもので、減圧吸収機能を発揮するパネル壁を利用して、内容物の注出を行うようにすることを技術的課題とし、もって減圧吸収機能付き容器のスクイズ容器への利用範囲拡大を得ることを目的とする。
【課題を解決するための手段】
【０００８】
本発明の主たる構成は、下端を底部で塞ぎ、上端に肩部と口筒部を連設した胴部に、正多角筒状の角筒部を設け、この角筒部を、平坦な柱壁で角部が角取されており、辺部が減圧吸収用のパネル壁となって、ブロー成形容器を構成した、ことにある。
【０００９】
角筒部の各パネル壁は、縦断面形状が直線状で、横断面形状が外方に少し膨出して湾曲した湾曲壁構造に構成されている。
【００１０】
角筒部の各角部は、平坦な柱壁で角取りされているので、その分、各パネル壁との接続角度が大きくなり、これにより各パネル壁を撓み変形し易い状態で支持することになる。
【００１１】
角筒部の各パネル壁は、その横断面形状が外方に膨出した湾曲形状となっているので、減圧を吸収する陥没変形は、反転変形となり、このためパネル壁の陥没変形により、容器の内容積は大きく減少することになる。
【００１２】
容器を開封すると、容器内が常圧状態に復帰し、これによりパネル壁が元の形状に復元するので、指先によりパネル壁を押圧すると、パネル壁は反転陥没変形し、これにより容器の内容積を大きく減少させることが可能となる。
【００１３】
本発明の別の構成は、上記した主たる構成に加えて、角筒部の上下両端に、この角筒部の仮想される外接円と等しいかわずかに大きい外径を有する、短円筒形状の端筒部を連設した、ものである。
【００１４】
角筒部の上下両端に、短円筒形状の端筒部を連設したものにあっては、角筒部の上下端部を、横方向からの外力に対して強力に補強するので、角筒部の筒形状を安定して維持させることになる。
【００１５】
また、本発明の別の構成は、上記した主たる構成に加えて、角筒部の下位に、底部に連設するスカート筒部を設け、該スカート筒部を下方に拡径した筒状に構成した、ものである。
【００１６】
角筒部の下位にスカート筒部を設けたものにあっては、容器の下端部に大径部が位置するので、安定した「座」機能を得ることができると共に、容器の容量を大きくすることができる。
【００１７】
また、本発明の別の構成は、上記した主たる構成に加えて、口筒部にノズルキャップを密に組付け、このノズルキャップに、開閉キャップで開閉されるノズル筒を立設した、ものである。
【００１８】
口筒部にノズルキャップを密に組付けたものにあっては、常圧状態で、パネル壁を陥没変形させて角筒部をスクイズ変形させた際、内容物をノズルキャップのノズル筒から好適に注出することができる。
【発明の効果】
【００１９】
本発明は、上記した構成となっているので、以下に示す効果を奏する。
本発明のブロー成形容器にあっては、角筒部の各角部が、柱壁で角取りされているので、各パネル壁を撓み変形し易い状態で支持することになり、これによりパネル壁の陥没撓み変形による、容器の減容変形を、無理なく円滑に得ることができる。
【００２０】
また、角筒部の各パネル壁は、その横断面形状が外方に膨出した湾曲形状となっているので、減圧吸収作用および容器の減容作用を発揮する陥没変形が、反転変形となり、これにより大きな減容効果を得ることができる。
【００２１】
角筒部の上下両端に、短円筒形状の端筒部を連設したものにあっては、角筒部の上下端部を、横方向からの外力に対して強力に補強するので、角筒部の筒形状を安定して維持させることになり、これにより角筒部のパネル壁の安定した陥没変形動作を得ることができる。
【００２２】
角筒部の下位にスカート筒部を設けたものにあっては、容器の下端部に大径部が位置するので、安定した「座」機能を得ることができると共に、容器の使用時における掴み易さを得ることができ、特に容器を略倒立状に保持して、内容物を注出する際には、この拡径したスカート筒部が滑り止め機能を発揮することになるので、容器の安全な取り扱いを得ることができる。
【００２３】
口筒部にノズルキャップを密に組付けたものにあっては、常圧状態で、パネル壁を陥没変形させて角筒部をスクイズ変形させた際、内容物をノズルキャップのノズル筒から好適に注出することができるので、ドレッシング等の内容物を、所望する箇所に、所望する量だけ注出するのに好適に機能する。
【発明を実施するための最良の形態】
【００２４】
以下、本発明の実施形態を、図１〜図４を参照しながら説明する。
【００２５】
図１は、本発明によるブロー成形容器１にノズルキャップ１５を組付けたものの、一部破断した全体正面図で、ブロー成形容器１は、ポリエチレンテレフタレート製の２軸延伸ブロー成形品で、下端を底部１４で塞いだ胴部５の上端に、上方に縮径した肩部４を介して、外周面にネックリング３を形成した口筒部２を連設して構成されている。
【００２６】
胴部５は、上位の角筒部６と、下位のスカート筒部１２とから構成され、角筒部６は、正六角筒形状をしていて、その上下端部には、角筒部６の仮想される外接円筒面よりもわずかに大きい外径を有する、短円筒形状の短筒部１０が設けられており、スカート筒部１２は、下方に拡径した円錐台筒形状をしていて、その角筒部６側に連設される上端にはリブ周溝１１が、そして底部１４に連設される下端には補強周リブ１３が設けられている。
【００２７】
角筒部６は、その横断面形状が、図１中Ａ−Ａ線に沿って切断矢視した図２に示すように、正六角筒体の各角部を平坦な柱壁９で角取りすると共に、各辺を形成するパネル壁７を、外方にわずかに膨出する湾曲壁構造に構成しており、このパネル壁７の湾曲膨出程度は、角筒部６に外接する仮想される円筒面の円弧位置ｒよりも内側であるが、当然のことながら、隣り合った柱壁９間を直線で結んだ平坦位置ｓよりの外側に位置している。
【００２８】
また、角筒部６は、その縦断面形状が、図１中Ｂ−Ｂ線に沿って切断矢視した図３に示すように、直線状となっていて、上下の端筒部１０との間を、傾斜した端部壁８で接続した構造となっている。
【００２９】
角筒部６における各パネル壁７は、平板状となっていることにより、ある程度の撓み変形が可能となっている柱壁９を介して連設されているので、その反転陥没変形は、同時に引き起こされる柱壁９の撓み変形と組合さることにより、円滑で無理のないものとなる。
【００３０】
このパネル壁７の反転陥没変形は、図２の平坦位置ｓを略反転点として行われるもので、反転位置ｔは、平坦位置ｓを対称線として、実線図示したパネル壁７と略線対称に位置する。
【００３１】
角筒部６の上下に位置する端筒部１０は、正六角筒形状をした角筒部６を、横方向からの外力に対して補強するもので、角筒部６は、上下両端の筒形状を端筒部１０により妄りに変形しないように保持されることにより、各パネル壁７の弾性反転変形を、安定してかつ円滑に行うことになる。
【００３２】
スカート筒部１２は、下方に拡径した円錐筒台形状をしていて、その下端に底部１４を連設しているので、底部１４が形成する「座」面積を大きなものとすることができ、これによりブロー成形容器１に、安定した「座」機能を与えることができ、またブロー成形容器１の把持を安定させることができるので、使用時に良好で安全な取扱いを得ることができる。
【００３３】
このスカート筒部１２の上端と、角筒部６の下端に設けた端筒部１０の間に設けられたリブ周溝１１、およびスカート筒部１２の下端と底部１４の間に設けられた補強周リブ１３は、ブロー成形容器１の座屈強度を補強すると共に、基本的に円筒構造となっているスカート筒部１２の横荷重に対する抗力を高めている。
【００３４】
ブロー成形容器１の口筒部２に密に組付けられたノズルキャップ１５は、口筒部２に外装してアンダーカット結合する組付き筒１６の頂壁中央から、先細り筒状のノズル筒１７を起立設して構成されており、このノズル筒１７は、ノズル筒１７に着脱自在に螺合する開閉キャップ１８で開閉される。
【００３５】
図１に示したブロー成形容器１に、７０℃に加熱（準耐熱レベル）したドレッシング等を充填密封して、常温まで放冷したところ、各パネル壁７が陥没状に変形して、減圧に対する吸収容量を確保することができた。
【００３６】
また、開封後、各パネル壁７は、膨出状の元の形状に戻るので、ブロー成形容器１を倒立状に保持したまま、角筒部６を指先で挟持しながら押圧することにより、対向した一対のパネル壁７をそれぞれ反転陥没変形させることができ、このスクイズ変形により充分な内容物の注出ができた。
【００３７】
この際、パネル壁７の押圧程度を調整することにより、内容物の注出量を、自由にかつ簡単に調整することができる。
【００３８】
なお、図示実施形態例は、角筒部６として正六角筒体の例を示したが、角筒部６は正六角筒状に特定されることはなく、他の正多角筒体であっても良い。しかしながら、内容物を注出するスクイズ操作の点からすると、パネル壁７が対向する偶数多角形であることが望ましい。
【産業上の利用可能性】
【００３９】
以上説明したように、本発明のブロー成形容器に示された技術は、容器に対して、減圧吸収能力とスクイズ性の両方を付与するものであり、内容物を熱充填すると共に、内容物を押圧注出する容器に適用する技術として、幅広い利用展開が期待できる。
【図面の簡単な説明】
【００４０】
【図１】本発明の一実施形態例を示す、一部破断した全体正面図である。
【図２】図１中、Ａ−Ａ線に沿って切断矢視した、要部拡大平面図である。
【図３】図１中、Ｂ−Ｂ線に沿って切断矢視した、要部拡大縦断面図である。
【符号の説明】
【００４１】
１  ；ブロー成形容器
２  ；口筒部
３  ；ネックリング
４  ；肩部
５  ；胴部
６  ；角筒部
７  ；パネル壁
８  ；端部壁
９  ；柱壁
１０；端筒部
１１；リブ周溝
１２；スカート筒部
１３；補強周リブ
１４；底部
１５；ノズルキャップ
１６；組付き筒
１７；ノズル筒
１８；開閉キャップ
ｒ  ；円弧位置
ｓ  ；平坦位置
ｔ  ；反転位置
【図１】
2010105718.tif 000003
【図２】
2010105718.tif 000004
【図３】
2010105718.tif 000005